(57)【要約】【課題】サーバあるいは前記サーバのサイトへの前記ネットワークの負荷が高くなることによるサーバの応答性能の悪化を抑制できるようにする。【解決手段】サーバ１における静的情報であるコンテンツ２Ａとして情報量の異なる複数のコンテンツ2A1，2A2を有し、サーバあるいはサーバのサイトへのネットワーク５３の負荷量が所定負荷量より大きくなると情報量の異なる複数のコンテンツのうち情報量の少ないコンテンツにコンテンツ切替手段３によって切り替わり当該情報量の少ないコンテンツの情報をアクセスクライアント４ａ〜４ｎに応答して提供し、サーバあるいはサーバのサイトへのネットワークの負荷量が所定負荷量より小さくなると情報量の異なる複数のコンテンツのうち情報量の多いコンテンツにコンテンツ切替手段３によって切り替わり当該情報量の多いコンテンツの情報をアクセスクライアントに応答して提供する。【選択図】図１
2008146473.tif 000002
【特許請求の範囲】
【請求項１】
静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【請求項２】
静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【請求項３】
静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、サーバあるいはサーバのサイトに対する単位時間当たりのアクセス数が所定アクセス数より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりのアクセス数が所定アクセス数より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【請求項４】
静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、サーバあるいはサーバのサイトに対する単位時間当たりのアクセス数が所定アクセス数より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりのアクセス数が所定アクセス数より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【請求項５】
静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、サーバあるいはサーバのサイトに対する単位時間当たりの通信量が所定通信量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりの通信量が所定通信量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【請求項６】
静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、サーバあるいはサーバのサイトに対する単位時間当たりの通信量が所定通信量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりの通信量が所定通信量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供することを特徴とするサーバ。
【発明の詳細な説明】
【技術分野】
【０００１】
この発明は、静的情報であるコンテンツを有し複数のクライアントにネットワークを介して接続されアクセスしてきたクライアントに応答して前記コンテンツを当該アクセスクライアントに提供するサーバに関するものである。
【背景技術】
【０００２】
音声や映像の通信に関しては、ネットワーク輻輳状態により送信ビットレート（アナログデータをデジタル化する場合にアナログデータの振幅を何ビットで表現するかを示す基準値）や符号化レート（画素当たりの平均ビット数）を変更することにより、ネットワークの輻輳を回避している。（特許文献1を参照）
【０００３】
テキストや静止画、それらの集合等の静的情報であるコンテンツを有し複数のクライアントにネットワークを介して接続されアクセスしてきたクライアントに応答して前記コンテンツを当該アクセスクライアントに提供するサーバにおいては、多数のクライアントからのアクセスによって前記サーバあるいは前記サーバのサイトへの前記ネットワークの負荷が高くなり前記サーバの応答性に影響が出ても一般的には特段の対策は講じてない。
【０００４】
【特許文献１】特開２００１−２３０８０９号公報（図１及びその説明）
【発明の開示】
【発明が解決しようとする課題】
【０００５】
静的情報であるコンテンツを有し複数のクライアントにネットワークを介して接続されアクセスしてきたクライアントに応答して前記コンテンツを当該アクセスクライアントに提供するサーバにおいては、多数のクライアントからのアクセスによって前記サーバあるいは前記サーバのサイトへの前記ネットワークの負荷が高くなり前記サーバの応答性に影響が出ても一般的には特段の対策は講じてないため、前記サーバあるいは前記サーバのサイトへの前記ネットワークの負荷が高くなればそれに応じて前記サーバの応答性は悪くなる。また、その対策として、前述の特許文献１における送信ビットレートや符号化レートを変更する技術を適用することは、コンテンツが静的情報であるが故にできない。
【０００６】
この発明は、前述のような実情に鑑みてなされたもので、静的情報であるコンテンツを有し複数のクライアントにネットワークを介して接続されアクセスしてきたクライアントに応答して前記コンテンツを当該アクセスクライアントに提供するサーバにおいて、前記サーバあるいは前記サーバのサイトへの前記ネットワークの負荷が高くなることによるサーバの応答性能の悪化を抑制できるようにすることを目的とするものである。
【課題を解決するための手段】
【０００７】
この発明に係るサーバは、静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するものである。
【発明の効果】
【０００８】
この発明は、静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するので、静的情報であるコンテンツを有し複数のクライアントにネットワークを介して接続されアクセスしてきたクライアントに応答して前記コンテンツを当該アクセスクライアントに提供するサーバにおいて、前記サーバあるいは前記サーバのサイトへの前記ネットワークの負荷が高くなることによるサーバの応答性能の悪化を抑制できる効果がある。
【発明を実施するための最良の形態】
【０００９】
実施の形態１．
以下この発明の実施の形態１を図１〜図３により説明する。図１は構成の事例を示すブロック図、図２はサーバあるいは当該サーバのサイトへのネットワークの負荷量の事例であるアクセス数が所定値より大きくなる場合のコンテンツ切替動作をフローチャートで示す図、図３はサーバあるいは当該サーバのサイトへのネットワークの負荷量の事例であるアクセス数が所定値以下に小さくなる場合のコンテンツ切替動作をフローチャートで示す図である。
【００１０】
図１において、サーバ１は、それぞれ提供情報の多い詳細版コンテンツ2AN1、提供情報の少ない簡易版コンテンツ2AN2を有する複数種類のコンテンツＡ２Ａ〜コンテンツＮ２Ｎを有していると共に、後述のネットワーク負荷量に応じて前記提供情報の多い詳細版コンテンツ2AN1から前記提供情報の少ない簡易版コンテンツ2AN2への切り替え或いは逆に前記提供情報の少ない簡易版コンテンツ2AN2から前記提供情報の多い詳細版コンテンツ2AN1への切り替えを行うWebコンテンツ切替装置などのコンテンツ切替手段３とを有している。
【００１１】
また、前記サーバ１は、複数のクライアント４ａ〜４ｎとネットワーク５を介して接続され当該クライアントからのアクセスに応答して当該アクセスクライアントに前記情報量の多いコンテンツコンテンツ2AN1或いは前記情報量の少ないコンテンツコンテンツ2AN2の提供情報を提供する。
【００１２】
前記コンテンツ切替手段３は、前記クライアント４ａ〜４ｎからの単位時間当たりのアクセス数を計測するアクセス数計測手段３１と、このアクセス数計測手段３１が計測した単位時間当たりのアクセス数に応じて前記提供情報の多い詳細版コンテンツ2AN1から前記提供情報の少ない簡易版コンテンツ2AN2へのリンク切り替え或いは逆に前記提供情報の少ない簡易版コンテンツ2AN2から前記提供情報の多い詳細版コンテンツ2AN1へのリンク切り替えを行うリンク切替手段３２と、前記提供情報の多い詳細版コンテンツ2AN1から前記提供情報の少ない簡易版コンテンツ2AN2へのリンク切り替え或いは逆に前記提供情報の少ない簡易版コンテンツ2AN2から前記提供情報の多い詳細版コンテンツ2AN1へのリンク切り替えを行うアクセス数（負荷量）の基準値を設定する切替設定値３３とを有している。
【００１３】
次に動作について図２および図３により説明する。
【００１４】
先ず、前記サーバ１あるいは前記サーバ１のサイトへの前記ネットワーク５３の負荷量が所定負荷量より大きくなる場合について図２により説明する。
【００１５】
サーバ１に対するクライアント４ａ〜４ｎからのアクセスに対してアクセス数計測手段1で単位時間当たりのアクセス数を計測する。（ステップＳＴ１２）
【００１６】
次いで、アクセス数計測手段３１で単位時間当たりのアクセス数を計測した結果である計測値が、あらかじめ設定されている切替設定値（例えば３）より大きくなったかどうかを判定（ステップＳＴ２２）する。
【００１７】
次いで、アクセス数計測値が予め設定されている切替設定値（例えば３）以上に大きくなった場合、コンテンツの実体のリンク先を、サイズの大きい（提供情報量が多い）詳細版のコンテンツ2AN1からサイズの小さい（提供情報量が少ない）簡易版のコンテンツ2AN2に変更する。（ステップＳＴ３）
【００１８】
次に、前記サーバ１あるいは前記サーバ１のサイトへのネットワーク５３の負荷量が所定負荷量より小さくなる場合について図３により説明する。
【００１９】
前述のようコンテンツの実体のリンク先が、サイズの大きい（提供情報量が多い）詳細版のコンテンツ2AN1からサイズの小さい（提供情報量が少ない）簡易版のコンテンツ2AN2に変更されている状態において、サーバ１に対するクライアント４ａ〜４ｎからのアクセスに対してアクセス数計測手段1で単位時間当たりのアクセス数を計測する。（ステップＳＴ１２）
【００２０】
次いで、アクセス数計測手段１で単位時間当たりのアクセス数を計測した結果である計測値が、あらかじめ設定されている切替設定値（例えば３）以下に小さくなったかどうかを判定（ステップＳＴ２３）する。
【００２１】
次いで、アクセス数計測値が予め設定されている切替設定値（例えば３）以下に小さくなった場合、コンテンツの実体のリンク先を、サイズの小さい（提供情報量が少ない）簡易版のコンテンツ2AN2からサイズの大きい（提供情報量が多い）詳細版のコンテンツ2AN1に変更する。（ステップＳＴ４）
【００２２】
前述のように、単位時間当たりのアクセス数の計測値によりコンテンツの実体のリンク先を提供情報量の多い詳細版コンテンツ2AN1か提供情報量の少ない簡易版コンテンツ2AN2のどちらかに決定する。
【００２３】
前述のように、実施の形態１では、単位時間当たりのアクセス数が多い場合には、コンテンツサイズの小さい（提供情報量が少ない）コンテンツに切り替えるため、ネットワーク負荷を軽減することができ、サーバの応答性能改善を図ることができ、また、単位時間当たりのアクセス数が少ない場合には、コンテンツサイズの大きい（提供情報量が多い）コンテンツに切り替えるため、情報量の多い情報を提供でき、サーバの情報提供サービス性を向上できる。
【００２４】
実施の形態２．
以下、この発明の実施の形態２を図４〜図６によって説明する。図４は構成の他の事例を示すブロック図、図５はサーバあるいは当該サーバのサイトへのネットワークの負荷量の事例である通信量が所定値より大きくなる場合のコンテンツ切替動作をフローチャートで示す図、図６はサーバあるいは当該サーバのサイトへのネットワークの負荷量の事例である通信量が所定値以下に小さくなる場合のコンテンツ切替動作をフローチャートで示す図である。
【００２５】
本実施の形態２では、コンテンツ切替手段３は、前記クライアント４ａ〜４ｎからの単位時間当たりの通信量を計測する通信量計測手段３１と、この通信量計測手段３１が計測した単位時間当たりの通信量に応じて前記提供情報の多い詳細版コンテンツ2AN1から前記提供情報の少ない簡易版コンテンツ2AN2へのリンク切り替え或いは逆に前記提供情報の少ない簡易版コンテンツ2AN2から前記提供情報の多い詳細版コンテンツ2AN1へのリンク切り替えを行うリンク切替手段３２と、前記提供情報の多い詳細版コンテンツ2AN1から前記提供情報の少ない簡易版コンテンツ2AN2へのリンク切り替え或いは逆に前記提供情報の少ない簡易版コンテンツ2AN2から前記提供情報の多い詳細版コンテンツ2AN1へのリンク切り替えを行う通信量（負荷量）の基準値を設定する切替設定値３３とを有している
なお、前記基準値は、前記コンテンツ２Ａ〜２Ｎの数の増減、前記提供情報量の異なるコンテンツ2AN1，2AN2の数およびそれらの格納提供情報量の増減に対応できるように変更可能にしてある。
【００２６】
また、前記ネットワーク５には、前記サーバ１と同様の構成、同様の機能のサーバ（図示省略）が１台以上接続される場合があり、その場合、各々のサーバにおいて、当該サーバあるいは当該サーバのサイトへのネットワーク５３の前記負荷量に応じて前記コンテンツ切り替えが行われる。
【００２７】
次に動作について図５および図６により説明する。
【００２８】
先ず、前記サーバ１あるいは前記サーバ１のサイトへの前記ネットワーク５３の負荷量が所定負荷量より大きくなる場合について図５により説明する。
【００２９】
サーバ１に対するクライアント４ａ〜４ｎからのアクセスに対して通信量計測手段３１で単位時間当たりの通信量を計測する。（ステップＳＴ１５）
【００３０】
次いで、通信量計測手段３１で単位時間当たりの通信量を計測した結果である計測値が、あらかじめ設定されている切替設定値（例えば３）より大きくなったかどうかを判定（ステップＳＴ２５）する。
【００３１】
次いで、通信量数計測値が予め設定されている切替設定値（例えば３）より大きくなった場合、コンテンツの実体のリンク先を、サイズの大きい（提供情報量が多い）詳細版のコンテンツ2AN1からサイズの小さい（提供情報量が少ない）簡易版のコンテンツ2AN2に変更する。（ステップＳＴ３）
【００３２】
次に、前記サーバ１あるいは前記サーバ１のサイトへの前記ネットワーク５３の負荷量が所定負荷量より小さくなる場合について図６により説明する。
【００３３】
前述のようコンテンツの実体のリンク先が、サイズの大きい（提供情報量が多い）詳細版のコンテンツ2AN1からサイズの小さい（提供情報量が少ない）簡易版のコンテンツ2AN2に変更されている状態において、サーバ１に対するクライアント４ａ〜４ｎからのアクセスに対して通信量計測手段３１で単位時間当たりの通信量を計測する。（ステップＳＴ１２）
【００３４】
次いで、通信量計測手段３１で単位時間当たりの通信量を計測した結果である計測値が、あらかじめ設定されている切替設定値（例えば３）以下に小さくなったかどうかを判定（ステップＳＴ２３）する。
【００３５】
次いで、通信量計測値１が予め設定されている切替設定値（例えば３）以下に小さくなった場合、コンテンツの実体のリンク先を、サイズの小さい（提供情報量が少ない）簡易版のコンテンツ2AN2からサイズの大きい（提供情報量が多い）詳細版のコンテンツ2AN1に変更する。（ステップＳＴ４）
【００３６】
前述のように、単位時間当たりの通信量の計測値によりコンテンツの実体のリンク先を提供情報量の多い詳細版コンテンツ2AN1か提供情報量の少ない簡易版コンテンツ2AN2のどちらかに決定する。
【００３７】
前述のように、実施の形態１では、単位時間当たりのアクセス数が多い場合には、コンテンツサイズの小さい（提供情報量が少ない）コンテンツ切り替えるため、ネットワーク負荷を軽減することができ、サーバの応答性能改善を図ることができ、また、単位時間当たりの通信量が少ない場合には、コンテンツサイズの大きい（提供情報量が多い）コンテンツに切り替えるため、情報量の多い情報を提供でき、サーバの情報提供サービス性を向上できる。
【００３８】
前述のように、実施の形態２では、通信量の値によりコンテンツを切り替えるため、よりネットワーク負荷の実態に即した対応が可能となる。
【００３９】
実施の形態３．
以下、この発明の実施の形態３を、コンテンツ切替設定テーブルの事例を示す図７によって説明する。
【００４０】
本実施の形態３は、前述の実施の形態１、２のサーバのコンテンツ切替装置(手段)に、図７に例示のコンテンツ切替設定テーブルを設けたものである。
【００４１】
即ち、前記コンテンツ切替設定テーブルは、図示のように、複数種類のコンテンツ（図１、図４におけるコンテンツ２Ａ〜２Ｎ）の各コンテンツＡ、コンテンツＢ、コンテンツＣ毎に、前述の提供情報量の多い詳細版コンテンツ2AN1（図１、図４参照）と提供情報量の少ない簡易版コンテンツ2AN2とを切り替える条件（前記基準値）である設定値３３（図１、図４参照）の値を設定できるように、各コンテンツＡ、コンテンツＢ、コンテンツＣ毎に、負荷量であるアクセス数および負荷量である通信量の少なくとも１つについて前記基準値を設定したものであり、これら基準値は変更可能である。
【００４２】
例えば、図１の実施の形態では、図７のテーブルを使えば、コンテンツＡ（図１のコンテンツ２Ａ）についてはアクセス数１００で前記詳細版コンテンツ2AN1、簡易版コンテンツ2AN2間の切り替えがリンク切替手段３２で行われ、同様にコンテンツＢについてはアクセス数５００で前記詳細版コンテンツ2AN1、簡易版コンテンツ2AN2間の切り替えがリンク切替手段３２で行われ、コンテンツＣについてはアクセス数４００で前記詳細版コンテンツ2AN1、簡易版コンテンツ2AN2間の切り替えがリンク切替手段３２で行われる。
【００４３】
また、例えば、図２の実施の形態では、図７のテーブルを使えば、コンテンツＡ（図１のコンテンツ２Ａ）については通信量２GBで前記詳細版コンテンツ2AN1、簡易版コンテンツ2AN2間の切り替えがリンク切替手段３２で行われ、同様にコンテンツＢについては通信量１０GBで前記詳細版コンテンツ2AN1、簡易版コンテンツ2AN2間の切り替えがリンク切替手段３２で行われ、コンテンツＣについては通信量８GBで前記詳細版コンテンツ2AN1、簡易版コンテンツ2AN2間の切り替えがリンク切替手段３２で行われる。
【００４４】
従って、本実施の形態３では、各コンテンツＡ，Ｂ，Ｃ，・・・Ｎ毎にサイズが異なるがきめ細かいコンテンツ2AN1，2AN2，・・・2ANN間の切替設定が可能となる。
【００４５】
なお、前述の実施の形態１〜３において、前記基準値は、前記コンテンツ２Ａ〜２Ｎの数の増減、前記提供情報量の異なるコンテンツ2AN1，2AN2の数およびそれらの格納提供情報量の増減に対応できるように変更可能にしてある。
【００４６】
また、前述の実施の形態１〜３において、前記ネットワーク５には、前記サーバ１と同様の構成、同様の機能のサーバ（図示省略）が１台以上接続される場合があり、その場合、各々のサーバにおいて、当該サーバあるいは当該サーバのサイトへのネットワーク５３の前記負荷量に応じて前記コンテンツ切り替えが行われる。
【００４７】
また、前述の実施の形態１〜３において、前記提供情報の多い（「サイズが大きい」とも言う）コンテンツ2AN1とは、前記提供情報の少ない（「サイズが小さい」とも言う）コンテンツ2AN2に比べて提供情報量が多いコンテンツであることを意味し、前記提供情報の少ないコンテンツ2AN2とは前記提供情報の多いコンテンツ2AN1に比べて提供情報量が少ないコンテンツであることを意味する。
【００４８】
また、前述の実施の形態１〜３において、前記提供情報の多い詳細版コンテンツ2AN1および前記提供情報の少ない簡易版コンテンツ2AN2は、予め準備されたものであるが、任意に内容変更できるものであり、また、新たに増設できるものである。
【００４９】
また、前述の図１〜図３において同一または相当部分には同一符号を付してある。
【００５０】
前述のこの発明の実施の形態１〜３は、以下のような特徴点を有している。
【００５１】
特徴点１：ネットワーク負荷が高い時に、Webコンテンツの応答性能を向上させるため、Webコンテンツの内容を簡易化したサイズの小さいコンテンツに切り替える。
【００５２】
特徴点２：Webサイトへのアクセス数が多くなった場合にネットワーク負荷を軽減し応答性能を改善するため、同一URLに対するコンテンツを複数用意し、ネットワーク負荷が高い時にはWebコンテンツをサイズの小さい簡易コンテンツに切替えてクライアントに応答する装置を得るものである。
【００５３】
特徴点３：Webコンテンツとして、詳細版（サイズ大）と簡易版（サイズ小）を準備しておくことにより、そのWebサイトに対する単位時間当たりのアクセス数を計測し、そのアクセス数に応じて詳細版と簡易版のWebコンテンツを切り替えるWebコンテンツ切替装置（手段）を、サーバに設けてある。
【００５４】
特徴点４：Webサイトに対する単位時間当たりのアクセス数の代わりに、単位時間当たりの通信量を計測し、その通信量に応じても詳細版と簡易版のWebコンテンツを切り替えることができるWebコンテンツ切替装置を、サーバに設けてある。
【００５５】
特徴点５：詳細版と簡易版のWebコンテンツを切り替えるアクセス数や通信量の値を各Webコンテンツ毎に設定できるようにしたWebコンテンツ切替装置を、サーバに設けてある。
【００５６】
特徴点６：静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供サーバである。
【００５７】
特徴点７：静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、前記サーバあるいは前記サーバのサイトへの前記ネットワークの負荷量が所定負荷量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、前記サーバあるいは前記サーバのサイトへの前記ネットワークの負荷量が所定負荷量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するサーバである。
【００５８】
特徴点８：静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、サーバあるいはサーバのサイトに対する単位時間当たりのアクセス数が所定アクセス数より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりのアクセス数が所定アクセス数より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するサーバである。
【００５９】
特徴点９：静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、サーバあるいはサーバのサイトに対する単位時間当たりのアクセス数が所定アクセス数より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりのアクセス数が所定アクセス数より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するサーバである。
【００６０】
特徴点10：静的情報であるコンテンツを有し複数のクライアントにネットワークを介して接続されアクセスしてきたクライアントに応答して前記コンテンツを当該アクセスクライアントに提供するサーバにおいて、前記コンテンツとして情報量の異なる複数のコンテンツを有し、サーバあるいはサーバのサイトに対する単位時間当たりの通信量が所定通信量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりの通信量が所定通信量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するサーバである。
【００６１】
特徴点11：静的情報である複数種類のコンテンツを有し複数のクライアントにネットワークを介して接続されクライアントからアクセスされた前記コンテンツを当該アクセスクライアントに提供するサーバにおいて、前記複数種類のコンテンツが夫々情報量の異なる複数のコンテンツから成り、サーバあるいはサーバのサイトに対する単位時間当たりの通信量が所定通信量より大きくなると前記情報量の異なる複数のコンテンツのうち情報量の少ないコンテンツにコンテンツ切替手段によって切り替わり当該情報量の少ないコンテンツの情報を前記アクセスクライアントに応答して提供し、サーバあるいはサーバのサイトに対する単位時間当たりの通信量が所定通信量より小さくなると前記情報量の異なる複数のコンテンツのうち情報量の多いコンテンツに前記コンテンツ切替手段によって切り替わり当該情報量の多いコンテンツの情報を前記アクセスクライアントに応答して提供するサーバである。
【図面の簡単な説明】
【００６２】
【図１】この発明の実施の形態１を示す図で、構成の事例を示すブロック図である。
【図２】この発明の実施の形態１を示す図で、サーバあるいは当該サーバのサイトへのネットワークの負荷量の事例であるアクセス数が所定値より大きくなる場合のコンテンツ切替動作をフローチャートで示す図である。
【図３】この発明の実施の形態１を示す図で、サーバあるいは当該サーバのサイトへのネットワークの負荷量の事例であるアクセス数が所定値以下に小さくなる場合のコンテンツ切替動作をフローチャートで示す図である。
【図４】この発明の実施の形態２を示す図で、構成の他の事例を示すブロック図である。
【図５】この発明の実施の形態２を示す図で、サーバあるいは当該サーバのサイトへのネットワークの負荷量の事例である通信量が所定値より大きくなる場合のコンテンツ切替動作をフローチャートで示す図である。
【図６】この発明の実施の形態２を示す図で、サーバあるいは当該サーバのサイトへのネットワークの負荷量の事例である通信量が所定値以下に小さくなる場合のコンテンツ切替動作をフローチャートで示す図である。
【図７】この発明の実施の形態３を示す図で、コンテンツ切替設定テーブルの事例を示す図である。
【符号の説明】
【００６３】
１    サーバ、
２Ａ〜２Ｎ    複数種類のコンテンツ、
2AN1    提供情報の多いコンテンツ、
2AN2    提供情報の少ないコンテンツ、
３    コンテンツ切替手段、
３１    負荷量計測手段であるアクセス数計測手段（通信量計測手段）、
３２    リンク切替手段、
３３    切替設定値、
４ａ〜４ｎ    クライアント、
５    ネットワーク、
５３    サーバあるいは前記サーバのサイトへのネットワーク。
【図１】
2008146473.tif 000003
【図２】
2008146473.tif 000004
【図３】
2008146473.tif 000005
【図４】
2008146473.tif 000006
【図５】
2008146473.tif 000007
【図６】
2008146473.tif 000008
【図７】
2008146473.tif 000009